【手続補正書】
【提出日】令和2年12月28日(2020.12.28)
【手続補正１】
【補正対象書類名】明細書
【補正対象項目名】発明の名称
【補正方法】変更
【補正の内容】
【発明の名称】システム、その制御方法、及びプログラム
【手続補正２】
【補正対象書類名】明細書
【補正対象項目名】０００１
【補正方法】変更
【補正の内容】
【０００１】
本発明は、システム、その制御方法、及びプログラムに関する。
【手続補正３】
【補正対象書類名】明細書
【補正対象項目名】０００９
【補正方法】変更
【補正の内容】
【０００９】
本実施形態においては、情報が変更される商品の広告において、張り替えるべき広告の印刷データを容易に出力可能なシステムを提供することを目的とする。
【手続補正４】
【補正対象書類名】明細書
【補正対象項目名】００１０
【補正方法】変更
【補正の内容】
【００１０】
本発明のシステムは、商品に対応する可変の第一の売価情報を管理するサーバ装置と通信可能なシステムであって、撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御手段と、を備えることを特徴とする。
また、本発明のシステムは、商品に対応する可変の第一の売価情報を管理するサーバ装置と通信可能なシステムであって、撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを生成する生成手段と、を備えることを特徴とする。
また、本発明のシステムの制御方法は、商品に対応する可変の第一の売価情報を管理するサーバ装置と通信可能なシステムの制御方法であって、撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御ステップと、を含むことを特徴とする。
また、本発明のシステムの制御方法は、商品に対応する可変の第一の売価情報を管理するサーバ装置と通信可能なシステムの制御方法であって、撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを生成する生成ステップと、を含むことを特徴とする。
また、本発明の情報処理装置は、商品に対応する可変の第一の売価情報を管理するサーバ装置と通信可能な撮像手段を備えた情報処理装置であって、前記撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御手段と、を備えることを特徴とする。
また、本発明のプログラムは、コンピュータを、上記に記載の情報処理装置として機能させるためのプログラムであることを特徴とする。
【手続補正５】
【補正対象書類名】明細書
【補正対象項目名】００１１
【補正方法】変更
【補正の内容】
【００１１】
本発明によれば、情報が変更される商品の広告において、張り替えるべき広告の印刷データを容易に出力可能な効果を奏する。
【手続補正６】
【補正対象書類名】特許請求の範囲
【補正対象項目名】全文
【補正方法】変更
【補正の内容】
【特許請求の範囲】
【請求項１】
商品に対応する可変の第一の売価情報を管理するサーバ装置と通信可能なシステムであって、
撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御手段と、
を備えることを特徴とするシステム。
【請求項２】
前記システムは、撮像手段を備えた情報処理装置と通信可能であって、
前記情報処理装置は、携帯端末または自走式ロボットを含むことを特徴とする請求項１に記載のシステム。
【請求項３】
前記システムは、前記第一の売価情報を用いて前記印刷データを生成する生成手段をさらに備え、
前記出力制御手段は、前記生成手段で生成した前記印刷データを出力するよう制御することを特徴とする請求項１または２に記載の広告管理システム。
【請求項４】
前記システムは、前記第一の売価情報と前記第二の売価情報とが一致するか否かの情報を用いて、前記撮像手段で撮像された前記広告に対する詳細情報を識別可能に表示するよう制御する表示制御手段をさらに備えることを特徴とする請求項１乃至３のいずれか１項に記載のシステム。
【請求項５】
前記システムは、広告の印刷データを記憶する記憶手段をさらに備え、
前記表示制御手段は、前記記憶手段に前記第一の売価情報及び前記第二の売価情報が一致する印刷データが記憶されており、前記第一の売価情報と前記第二の売価情報とが一致しない場合に、広告の張り替え漏れであることを示す表示を行うよう制御することを特徴とする請求項４に記載のシステム。
【請求項６】
前記記憶手段は、期間が定められた特売用の広告の情報である企画情報を記憶し、
前記出力制御手段は、前記記憶手段に前記企画情報が記憶されている場合は、前記企画情報に基づいた前記印刷データの出力を行うよう制御することを特徴とする請求項５に記載のシステム。
【請求項７】
前記システムは、前記撮像手段で撮像された広告の位置を示す情報を取得する位置情報取得手段をさらに備え、
前記表示制御手段は、前記広告の詳細情報と共に当該広告の位置を示す情報を表示するよう制御することを特徴とする請求項４乃至６のいずれか１項に記載のシステム。
【請求項８】
商品に対応する可変の第一の売価情報を管理するサーバ装置と通信可能なシステムであって、
撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを生成する生成手段と、
を備えることを特徴とするシステム。
【請求項９】
商品に対応する可変の第一の売価情報を管理するサーバ装置と通信可能なシステムの制御方法であって、
撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御ステップと、
を含むことを特徴とするシステムの制御方法。
【請求項１０】
商品に対応する可変の第一の売価情報を管理するサーバ装置と通信可能なシステムの制御方法であって、
撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを生成する生成ステップと、
を含むことを特徴とするシステムの制御方法。
【請求項１１】
商品に対応する可変の第一の売価情報を管理するサーバ装置と通信可能な撮像手段を備えた情報処理装置であって、
前記撮像手段で商品の広告を撮像することにより取得される、当該広告が印刷された際の第二の売価情報と、前記サーバ装置で管理される当該商品の第一の売価情報と、が一致しないと判定されたことに応じて、前記第一の売価情報を用いた広告の印刷データを印刷するべく出力するよう制御する出力制御手段と、
を備えることを特徴とする情報処理装置。
【請求項１２】
コンピュータを、請求項１乃至８、１１のいずれか１項に記載の情報処理装置として機能させるためのプログラム。